(57)【要約】【課題】  遠赤外線を発生させると共に、カプサイシンによる体熱産出作用により温度を上昇させて血行を促進させ、しかも、肌着としての通気性を維持することが可能であり、更に安価で大量生産ができる肌着を提供する。【解決手段】  繊維からなる肌着の所定個所には、ブラックシリカやジャモンストン等のシリカ鉱物と、ゲルマニウムパウダー等の鉱物の粉体４、及び、カプサイシンの粉体５からなる被膜２が設けられている。この被膜２は、多数個の円形や多角形状に形成した小片膜３を互いに離間させて所定の範囲に配列して構成している。被膜２からは遠赤外線が放射され、身体を内部を適度に暖め、カプサイシンが皮膚表面側を暖めることができる。皮膚から放出した汗は、被膜２を構成する小片膜３の間から放出される。【選択図】  図１
2007239107.tif 000002
【特許請求の範囲】
【請求項１】
繊維からなる肌着には、所定個所にブラックシリカやジャモンストン等のシリカ鉱物、ゲルマニウムパウダー等の鉱物の粉体、及び、カプサイシンの粉体を含有する被膜が設けられ、この被膜は、多数個の円形や多角形状に形成した小片膜を互いに離間させて所定の範囲に配列して構成したことを特徴とする肌着。
【請求項２】
被膜は、身体の腹部や腰部の肌に接触するように上記肌着の内面に設けられた請求項１に記載の肌着。
【請求項３】
被膜は、上記シリカ鉱物の粉体を約３重量％乃至１０重量％、上記ゲルマニウムパウダーの鉱物の粉体を約０．０５重量％乃至２重量％、及び、カプサイシンの粉体を約０．０５重量％乃至１重量％が繊維に接着可能な液状接着剤に混合され、これを上記肌着の内面に塗布または含浸して固化した請求項１に記載の肌着。
【請求項４】
被膜は、上記鉱物及びカプサイシンの粉体を混合した液状接着剤をスプレーや印刷等により上記肌着に塗布または含浸した固化した請求項１乃至３に記載の肌着。
【発明の詳細な説明】
【技術分野】
【０００１】
本発明は、特に肌に接触する肌着に関し、詳しくは、身体の肌に接触した状態で身体に向けて温熱効果を有する被膜を設けた肌着に関する。
【背景技術】
【０００２】
近年、健康維持に対する関心が高まり、薬等によらない自然な環境を人工的に作り出して身体にマイナスイオン等を吸収させることにより、身体を健康体に至らせる種々の健康手段が提案されている。
【０００３】
その一つとして、マイナスイオンによる効果が確認され、衣料品、ヘアドライヤー、或いはエアコン等の各方面でマイナスイオンを発生させ、個々に実績を出している。マイナスイオンは、体内の主として血液のイオンに作用し、血液等をマイナスイオン化させて活性化することが知られている。その一方で、一般に人間の身体は、痛み等の病的な異常が生ずると、皮膚の表皮側にプラス電位が誘起されることに着目し、この電位を正常なマイナス電位に戻す作用を行うものとして、ゲルマニウムを使用することも提案されている。
【０００４】
このような背景の中で、本出願人は特開２００４−１６２２２３号公報（特許文献１）により、マイナスイオンを発生する主成分がシリコンからなる液状シリコンにゲルマニウムのパウダーを混合し、これら液体を繊維体或いは樹脂等の素材に塗布または含浸させて固化したマイナスイオン発生素材を提案し、実用に供されている。
【０００５】
上記特許文献１に示されたマイナスイオン発生素材は、液状シリコンによって少なくとも５０ＮＳ／ｃｃのマイナスイオンが発生すると共に、ゲルマニウムのパウダーからマイナス電位を発生させ、更に、ゲルマニウムのパウダーを摂氏３２度以上に暖められることによって身体の不調個所を改善する効果を高めることによって、体内の主として血液のイオンに作用して血液等をマイナスイオン化させて活性化する等の効果を有している。ところが、特許文献１に開示したマイナスイオン発生素材は、液体シリコンにゲルマニウムのパウダーを撹拌混合して、素材にスプレーまたは印刷により塗布または含浸することから、素材の表面に一面にマイナスイオン発生体が形成されるために、特に繊維体に形成した場合には、繊維の目が封止される。この結果、例えば肌着にマイナスイオン発生体を形成したときには、身体の皮膚呼吸が阻害される恐れが生ずる。また、汗がマイナスイオン発生体に付着して蒸発が阻害されるためにかぶれが生ずる恐れがある等、本来の効果を打ち消すような問題が生じていた。更に、ゲルマニウムパウダーを混合したマイナスイオン発生素材を繊維体等の素材に塗布または含浸させることで、マイナスイオンは増加するものの、肌着が身体に与える保温性は従来と同様であり、使用者が有していた保温性に対するニーズに応えることができなかった。
【０００６】
【特許文献１】特開２００４−１６２２２３号公報
【発明の開示】
【発明が解決しようとする課題】
【０００７】
本発明が解決しようとする課題は、遠赤外線を発生させると共に、カプサイシンによる体熱産出作用により温度を上昇させて血行を促進させ、しかも、肌着としての通気性を維持することが可能であり、更に安価で大量生産ができる肌着を提供することにある。
【課題を解決するための手段】
【０００８】
そこで、本発明の請求項１に関わる肌着は、繊維からなる肌着には、所定個所にブラックシリカやジャモンストン等のシリカ鉱物、ゲルマニウムパウダー等の鉱物の粉体、及び、カプサイシンの粉体を含有する被膜が設けられ、この被膜は、多数個の円形や多角形状に形成した小片膜を互いに離間させて所定の範囲に配列して構成している。
【０００９】
また、請求項２に関わる肌着は、請求項１において、被膜が、身体の腹部や腰部の肌に接触するように上記肌着の内面に設けられている。
【００１０】
また、本発明の請求項３に関わる肌着は、被膜は、上記シリカ鉱物の粉体を約３重量％乃至１０重量％、上記ゲルマニウムパウダーの鉱物の粉体を約０．０５重量％乃至２重量％、及び、カプサイシンの粉体を約０．０５重量％乃至１重量％が繊維に接着可能な液状接着剤に混合され、これを上記肌着の内面に塗布または含浸して固化される。
【００１１】
更にまた、本発明の請求項４に関わる肌着は、被膜は、上記鉱物及びカプサイシンの粉体を混合した液状接着剤をスプレーや印刷等により上記肌着に塗布または含浸した固化している。
【発明の効果】
【００１２】
本発明によれば、繊維からなる肌着の所定個所に、シリカ鉱物の粉体とゲルマニウムパウダーの粉体、及びカプサイシンの粉体からなる被膜が設けられているので、大きな放射強度の遠赤外線が放射される共に、カプサイシンによる発汗や体熱産出作用によって皮膚の温度を上昇させて血行を促進させて身体を適度に暖めることが可能となる。しかも、被膜が多数個の円形や多角形状に形成した小片膜を互いに離間させて所定の範囲に配列して構成しているので、上記小片膜の間から汗が放出されて通気性が良好となり、かぶれの発生を未然に防止することが可能となる。
【００１３】
更にまた、被膜を、鉱物の粉体とカプサイシンを混合した液状接着剤をスプレーや印刷等により肌着に塗布または含浸させて固化することによって形成されるので、大量生産が可能であり、安価に製造することが可能となる。
【発明を実施するための最良の形態】
【００１４】
繊維からなる肌着の所定個所には、ブラックシリカやジャモンストン等のシリカからなる鉱物の粉体、ゲルマニウムパウダー等の鉱物の粉体、及びカプサイシンの粉体からなる被膜が設けられている。この被膜は、多数個の円形や多角形状に形成した小片膜を互いに離間させて所定の範囲に配列して構成している。上記被膜からは遠赤外線が発生すると同時にマイナスイオンが放射され、更にカプサイシンが発汗や体熱産出作用によって皮膚の温度を上昇させて血行を促進することが可能となる。このように身体を適度に暖めることにより保温性を高め、身体の皮膚から放出した汗は、被膜を構成する小片膜の間から放出される。
【実施例１】
【００１５】
以下、図面に基づいて本発明の実施例を詳細に説明する。図１は、本発明に関わる肌着の第１の実施例として、繊維体を織った腹巻き１に適用した例を示している。肌着としての腹巻き１は、木綿、羊毛などの動植物繊維、或いは、ナイロン、テトロン等の合成繊維等からなり、特に種類を問わない。このような腹巻き１の内面には、被膜２が設けられている。被膜２は、図示のように略ハート形に形成され、前方の腹側と後方の背側に各々形成されている。なお、被膜２の形状はハート形に限らず、楕円形、長方形、或いは各種のイラストやキャラクター等の造形であっても良い。
【００１６】
上記被膜２は、図１において拡大したように、多数個の六角形状に形成した小片膜３を互いに離間した状態で所定の範囲に配列することにより構成されている。小片膜３の寸法は、対向する辺の長さを約３ｍｍ乃至１５ｍｍに設定している。また、小片膜３を離間させる寸法は、約０．５ｍｍ乃至１０ｍｍに設定している。小片膜３の寸法が３ｍｍ以下のときは、後述する遠赤外線の放射量が小さくなり、所定の効果が得られず、１５ｍｍ以上のときは、放射量が大きくなるものの小片膜３によって繊維表面が覆われるために肌触りが悪化すると共に、小片膜３に汗が付着して放出されなくなる恐れがある。一方、小片膜３の離間寸法が０．５ｍｍ以下のときは、汗を放出する面積が小さくなり放出効率が悪化し、１０ｍｍ以上のときは、この部分に小片膜３が存在しないことから、身体に対する遠赤外線の放射量が小さくなる。
【００１７】
上記被膜２は、ブラックシリカやジャモンストンからなるシリカ鉱物の粉体と、ゲルマニウムパウダーからなる鉱物の粉体４、及び、カプサイシンの粉体５を繊維に接着可能な液状の原料接着剤６に混合した状態で塗布した後に固化させることにより、腹巻き１の内面に膜が形成されている。上記シリカ粉体４は、ブラックシリカ或いはジャモンストンのいずれか一種、または二種以上を適宜な分量で混合して使用しても良い。また、カプサイシンは、唐辛子の辛み成分であり、唐辛子をパウダー状に粉砕して粉体に形成したもの、或いは、唐辛子の辛み成分を適宜の方法によって抽出した後に粉体に形成したものが使用される。
【００１８】
次に、上記被膜２の形成方法について説明する。まず、繊維に接着可能な液状接着剤に対し、上記ブラックシリカ或いはジャモンストンの少なくとも一種からなるシリカ鉱物の粉体を約３重量％乃至１０重量％と、上記ゲルマニウムパウダーとからなる鉱物の粉体を約０．０５重量％乃至２重量％を均一に分散するように混合すると共に、カプサイシンの粉体５を撹拌して液状の原料接着液６を製作する。そして、原料接着液６は、図２に示すように、スクリーン印刷法によって腹巻き１に対して印刷塗布される。すなわち、スクリーン７には、多数配列された上記小片膜３と同じ形状の開口部７ａと、これらの開口部７ａに隣接させたマスク部７ｂが形成されている。
【００１９】
そして、腹巻き１の内面にスクリーン７を載せた後に、スキージ８を移動することによって原料接着液６が開口部７ａを通して腹巻き１に移行して塗布される。この結果、原料接着液６は、図３に示すように、腹巻き１の繊維内に一部が含浸すると共に繊維表面に小片膜３が形成される。その後、原料接着液６を固化させることによって約１０乃至１５０ミクロンの厚さの上記被膜２が形成される。この被膜２内には、図示のように、ブラックシリカ或いはジャモンストンの少なくとも一種からなるシリカ鉱物とゲルマニウムパウダーからなる鉱物の粉体４、及び、カプサイシンの粉体５がほぼ均一に分散されている。
【００２０】
このようなスクリーン印刷法は、腹巻き１に多数の小片膜３のみを印刷形成する場合に好適である。多数の小片膜３を形成することによって上記被膜２の形成する方法としては、スクリーン印刷法の他に、多数の小片膜３の形状を有する透孔を穿設した適宜の型紙を腹巻き１に添設した後に、上方からスプレーによって原料接着液６を噴射させて多数の小片膜３からなる被膜２を形成しても良い。その他、周知の印刷法によって被膜２を形成するようにしても良い。
【００２１】
このようにして、ブラックシリカやジャモンストン等のシリカ鉱物の粉体とゲルマニウムパウダーからなる鉱物の粉体４、及び、カプサイシンの粉体５を有する多数の小片膜３から構成された被膜２からは遠赤外線が放出される。図６乃至図８は、被膜２から放射される遠赤外線の放射率および放射強度の状態を示している。また、上記シリカ鉱物からはマイナスイオンも放出する。
【００２２】
図６は、被膜２から放射される遠赤外線の放射率の実測値を示している。遠赤外線は、４．０乃至１，０００ミクロンの波長を有し、光子エネルギーの浸透力が強く、生体内部まで到達して加温する性質を有している。図６に示すグラフは、横軸が測定波長（単位はミクロン）、縦軸が放射エネルギーの強さ（１平方ｃｍあたりのＷ数）であり、点線で表示した曲線は、黒体（入射する光を１００％吸収し、エネルギー放射能力が最大の物体）の放射エネルギーを示し、これ以上大きな放射エネルギーを示すものはない。
【００２３】
一方、実線で表示した曲線は、本発明による被膜２から放射される遠赤外線の放射エネルギーを示し、上記点線で表示した黒体の曲線に近接しているほど放射能力が高いものとなる。この図６に示すグラフにおいて、黒体の放射エネルギーの最大値が波長１０ミクロンにおいて約１．２Ｗに対し、被膜２から放射される放射エネルギーの強度の最大値は、波長９ミクロンにおいて約０．９Ｗと黒体に近接した放射エネルギーの強度を示している。これは、黒体に匹敵する放射エネルギー遠赤外線を身体に放射して加温することを意味している。因みに、上述したデータは、遠赤外線応用研究所において、測定温度が摂氏３５度の環境で熱輻射測定装置によって計測したものである。
【００２４】
図７は、被膜２内にジャモンストンからなるシリカ鉱物の粉体４を約５重量％混合すると共に、ゲルマニウムパウダーからなる鉱物の粉体４を約１．０重量％混合した場合の遠赤外線の放射率を示している。図７から明らかなように、ジャモンストンを混合した被膜２からは、約９０％以上の放射率で遠赤外線が放射される。
【００２５】
図８は、被膜２内にブラックシリカらなるシリカ鉱物の粉体を約５重量％混合すると共に、ゲルマニウムパウダーからなる鉱物を約１．０重量％混合した場合の遠赤外線の放射率を示している。図８に示すように、ブラックシリカを混合した被膜２からは、上記ブラックシリカとほぼ同様に約９０％の放射率で遠赤外線が放射される。
【００２６】
一方、カプサイシンの粉体５は、抹消血管を拡張して血液量を増やし、体温を高める作用がある。上述したように、シリカとゲルマニウムパウダーからなる鉱物の粉体４とカプサイシンの粉体５を混合した被膜２を多数の小片膜３に印刷形成した加工肌着と、上記被膜２を設けていない未加工肌着を各々被験者の肌に接触させて装着して皮膚温度の変化をサーモグラフで実測した結果、３０分経過後には摂氏０．４乃至０．５度の温度上昇が確認された。これは、カプサイシンの体熱産出作用体熱産出作用によるものである。
【００２７】
このように、肌着の所定個所に、シリカ鉱物及びゲルマニウムパウダー等の鉱物の粉体４からなる被膜２から、大きな放射エネルギー強度の遠赤外線が放射される。この遠赤外線が身体の内部までも適度に暖め、肌着としての保温性を高められる。しかも、カプサイシンの粉体５によって皮膚温度が上昇するので発汗作用が促進され、身体の不調個所を改善する効果を高められる。更に、被膜２が多数個の円形や多角形状に形成した小片膜３を互いに離間させて所定の範囲に配列して構成しているので、小片膜３の間から汗が放出されて通気性が良好となる。
【００２８】
更にまた、被膜２を、鉱物の粉体４およびカプサイシンの粉体５を混合した液状の原料接着剤６をスクリーン印刷等の印刷手段により腹巻き１に塗布または含浸させて固化することによって形成されるので、大量生産によって安価に製造される。
【実施例２】
【００２９】
図４は、本発明に関わる肌着の第２の実施例として、繊維体を織ったパンツ１０に適用した例を示している。肌着としてのパンツ１０は、木綿、羊毛、或いは、ナイロン、テトロン等の合成繊維等の繊維体を織られている。そして、パンツ１０の内面には、前述した腹巻き１と同様に、被膜２が設けられている。被膜２は、後方の背側に形成されている。この被膜２は、前方の腹部側に適宜の形状で設けても良い。この被膜２は、前述したように楕円形、長方形、或いは各種のイラストやキャラクター等の造形に変更しても良い。
【００３０】
パンツ１０の内面に設けた被膜２も、多数個の六角形状に形成した小片膜３を互いに離間した状態で所定の範囲に配列することにより構成されている。小片膜３の寸法は、前述した例と同様に、対向する辺の長さを約３ｍｍ乃至１５ｍｍに設定している。
【００３１】
この被膜２は、ブラックシリカやジャモンストンからなるシリカ鉱物と、ゲルマニウムパウダーからなる鉱物の粉体４、及び、カプサイシンの粉体５を繊維に接着可能な液状接着剤に混合した状態でパンツ１０の内面に塗布した後に固化させることによって形成されている。上記粉体は、ブラックシリカ或いはジャモンストンのいずれか一種、または二種以上を適宜な分量で混合して使用しても良い。
【００３２】
上述したパンツ１０においても、内面にシリカ鉱物とゲルマニウムパウダーの鉱物の粉体５からなる被膜２から大きな放射エネルギー強度の遠赤外線が放射され、更に、カプサイシンの粉体５の体熱産出作用により、遠赤外線が特に腰の内部を適度に暖め、カプサイシンが皮膚の表面側を暖めることにより腰痛等を改善する。また、シリカ鉱物等から発生するマイナスイオンによって特に腰の不調個所が改善される。遠赤外線及びカプサイシンによって腰を適度に暖めたときに発汗することもあるが、被膜２が多数個の円形や多角形状に形成した小片膜３を互いに離間させて所定の範囲に配列しているので、小片膜３の間から汗が放出することができる。
【実施例３】
【００３３】
図５は、本発明に関わる肌着の第３の実施例として、腹巻き部２１とパンツ部２２とを連結させた腹巻き付きパンツ２０に適用した例を示している。この腹巻き付きパンツ２０も木綿、羊毛、或いは、ナイロン、テトロン等の合成繊維等の繊維体を素材としている。また、腹巻き部２１は前述した腹巻き１と同様に構成され、パンツ部２２は前述したパンツ１０と同様に構成され、互いに連結されている。尚、腹巻き部２１とパンツ部２２とを一体に製作することにより腹巻き付きパンツ２０を製作しても良い。
【００３４】
そして、腹巻き付きパンツ２０のうち、腹巻き部２１内面には前述した腹巻き１と同様に被膜２が設けられている。被膜２は、後方の腰部側と腹部側に形成されている。一方、パンツ部２１の内面にも、前述したパンツ部２１と同様に、被膜２が設けられている。これら被膜２も、多数個の六角形状に形成した小片膜３を互いに離間した状態で所定の範囲に配列することにより構成されている。小片膜３の寸法は、前述した例と同様に、対向する辺の長さを約３ｍｍ乃至１５ｍｍに設定している。
【００３５】
この被膜２は、ブラックシリカ或いはジャモンストンからなるシリカ鉱物の粉体、ゲルマニウムパウダーからなる鉱物の粉体４、及び、カプサイシンの粉体５を繊維に接着可能な液状接着剤に混合した状態で各々の内面に塗布した後に固化させることによって形成されている。上記粉体は、ブラックシリカ或いはジャモンストンのいずれか一種、または二種以上を適宜な分量で混合して使用しても良い。
【００３６】
このような腹巻き付きパンツ２０においても、シリカ鉱物とゲルマニウムパウダー等の鉱物の粉体４からなる被膜２を設けることによって、大きな放射エネルギー強度の遠赤外線が放射されると共に、カプサイシンの体熱産出作用によって腰部や腹部を適度に暖めることができる。更に、マイナスイオンが発生するので、腰部や腹部の不調個所が改善される。また、遠赤外線と体熱産出作用によって暖めることにより発生した汗は、互いに離間して配列した小片膜３の隙間から放出することができる。
【００３７】
以上、本発明を実施例に基づき具体的に説明したが、本発明は上記実施例に限定されるものではなく、その要旨を逸脱しない範囲で種々変形可能であることは言うまでもない。前述した実施例においては、肌着として腹巻きおよびパンツを例示して説明したが、これらの形状や構成は適宜に変更可能である。また、被膜を設ける位置や大きさについても適宜に変更可能である。更に、肌着としては、その他、Ｔシャツ、ズボン下、靴下、ショーツ、等々に適用可能であり、この場合、被膜は適宜の位置や大きさに設けることができる。更にまた、上述したシリカ鉱物として、ブラックシリカ或いはジャモンストンを示したが、これらは主成分であって、肌着に接着する上で必要な粉体や素材を混合しても良い。
【産業上の利用可能性】
【００３８】
本発明は、腹巻きやパンツ等の肌着に適用可能である。
【図面の簡単な説明】
【００３９】
【図１】本発明に関わる肌着の第１の実施例として腹巻きに適用した例を示す斜視図である。
【図２】肌着に対してスクリーン印刷法により塗布させる状態を示す説明図である。
【図３】肌着に被膜を設けた状態を示す拡大説明図である。
【図４】本発明に関わる肌着の第２の実施例としてパンツに適用した例を示す斜視図である。
【図５】本発明に関わる肌着の第３の実施例として腹巻き付きパンツに適用した例を示す斜視図である。
【図６】被膜から放射される遠赤外線の放射強度を示す特性図である。
【図７】被膜内にジャモンストンを混合した場合の遠赤外線の放射率を示す特性図である。
【図８】被膜内にブラックシリカを混合した場合の遠赤外線の放射率を示す特性図である。
【符号の説明】
【００４０】
１      腹巻き（肌着）
２      被膜
３      小片膜
４      鉱物の粉体
５      カプサイシンの粉体
６      原料接着剤
７      スクリーン
１０    パンツ（肌着）
２０    腹巻き付きパンツ（肌着）
２１    腹巻き部
２２    パンツ部
【図１】
2007239107.tif 000003
【図２】
2007239107.tif 000004
【図３】
2007239107.tif 000005
【図４】
2007239107.tif 000006
【図５】
2007239107.tif 000007
【図６】
2007239107.tif 000008
【図７】
2007239107.tif 000009
【図８】
2007239107.tif 000010